(57)【要約】      （修正有）【課題】部材の組立が非対称の状況で、溶接ロボットを採用すると、溶接不良が容易に出現することを改善する変動振幅ウィービング溶接装置を提供する。【解決手段】測定センサ、溶接トーチおよび制御装置を含む変動振幅ウィービング溶接装置であって、制御装置は、測定センサを使用して開先の開先情報を測定する測定モジュール、開先情報に基づいて３次元直角座標系を構築し、さらに溶接トーチにプリセットされたステップ幅に基づいて、開先の両側の開先面における各溶接点の座標を算出する計算モジュール、および、算出した各溶接点の座標に基づいて、溶接トーチに対応するウィービング経路を作成し、さらに溶接トーチがウィービング経路に沿って溶接するように制御する制御モジュールを、含む。【選択図】図１
0003227938.tif 000002
【実用新案登録請求の範囲】
【請求項１】
予め設けた測定センサを使用して開先の開先情報を測定すること、
前記開先情報に基づいて３次元直角座標系を構築し、さらに溶接トーチにプリセットされたステップ幅に基づいて、前記開先の両側の開先面における各溶接点の座標を算出すること、および、
算出した各溶接点の座標に基づいて、前記溶接トーチに対応するウィービング経路を作成し、さらに前記溶接トーチが前記ウィービング経路に沿って溶接するように制御することを含むことを特徴とする、変動振幅ウィービング溶接方法。
【請求項２】
前記開先情報が、前記開先に対応する溶接シームの溶接シーム長さおよび溶接シーム夾角を含み、予め設けた測定センサを使用して開先の開先情報を測定する工程が、
前記測定センサを使用して前記溶接シームの位置パラメータ情報を測定し、前記位置パラメータ情報に基づいて前記溶接シームの始端部および終端部を確定し、さらに前記始端部および終端部の間の相対距離を前記溶接シーム長さとすること、および、
前記位置パラメータ情報に基づいて、前記始端部および終端部の溶接シーム幅を確定し、さらに前記始端部および終端部の溶接シーム幅および前記溶接シーム長さに基づいて、前記溶接シーム夾角を算出することとを含むことを特徴とする、請求項１に記載の変動振幅ウィービング溶接方法。
【請求項３】
前記溶接トーチにプリセットされたステップ幅が２．５ｃｍ〜４．５ｃｍであることを特徴とする、請求項１に記載の変動振幅ウィービング溶接方法。
【請求項４】
前記溶接トーチにプリセットされたステップ幅に基づいて、前記開先の両側の開先面における各溶接点の座標を算出する工程が、
前記溶接シームをいくつかのサブ溶接シームに均等に分け、前記サブ溶接シームの長さを前記溶接トーチのステップ幅とし、前記開先の両側の開先面における各溶接点の座標を算出することをさらに含むことを特徴とする、請求項２に記載の変動振幅ウィービング溶接方法。
【請求項５】
算出した各溶接点の座標に基づいて、前記溶接トーチに対応するウィービング経路を作成する工程が、
各溶接点の横座標値を抽出し、各溶接点の横座標値の大きさに基づいて、順番に前記各溶接点を「Ｚ」状に接続する方式で接続すること、および、
前記各溶接点の間の接続線を前記溶接トーチに対応するウィービング経路とし、前記接続線は直線であるか、または設定した弧度を有する円弧であることを含むことを特徴とする、請求項１に記載の変動振幅ウィービング溶接方法。
【請求項６】
前記変動振幅ウィービング溶接方法が、
前記開先の加工精度に基づいて、前記溶接トーチの移動経路に対して振幅補償値を設定すること、および、
前記溶接トーチが前記開先の両側の開先面における溶接点まで移動したとき、設定した振幅補償値に基づいて、前記溶接トーチが前記溶接点に対して溶接補償を行うように制御することをさらに含むことを特徴とする、請求項１〜５のいずれか１項に記載の変動振幅ウィービング溶接方法。
【請求項７】
前記振幅補償値が０．５ｍｍ〜３ｍｍであることを特徴とする、請求項６に記載の変動振幅ウィービング溶接方法。
【請求項８】
前記測定センサが、距離測定センサ、ＣＣＤ画像センサ、過電流センサまたは電磁センサであることを特徴とする、請求項１〜７のいずれか１項に記載の変動振幅ウィービング溶接方法。
【請求項９】
測定センサ、溶接トーチおよび制御装置を含む変動振幅ウィービング溶接装置であって、
前記制御装置は、
前記測定センサを使用して開先の開先情報を測定する測定モジュール、
前記開先情報に基づいて３次元直角座標系を構築し、さらに溶接トーチにプリセットされたステップ幅に基づいて、前記開先の両側の開先面における各溶接点の座標を算出する計算モジュール、および、
算出した各溶接点の座標に基づいて、前記溶接トーチに対応するウィービング経路を作成し、さらに前記溶接トーチが前記ウィービング経路に沿って溶接するように制御する制御モジュールを、含むことを特徴とする、変動振幅ウィービング溶接装置。
【請求項１０】
前記開先情報が、前記開先に対応する溶接シームの溶接シーム長さおよび溶接シーム夾角を含み、
前記測定モジュールは、前記測定センサを使用して前記溶接シームの位置パラメータ情報を測定し、前記位置パラメータ情報に基づいて前記溶接シームの始端部および終端部を確定し、さらに前記始端部および終端部の間の相対距離を前記溶接シーム長さとし、
前記位置パラメータ情報に基づいて、前記始端部および終端部の溶接シーム幅を確定し、さらに前記始端部および終端部の溶接シーム幅および前記溶接シーム長さに基づいて、前記溶接シーム夾角を算出することを特徴とする、請求項９に記載の変動振幅ウィービング溶接装置。
【請求項１１】
前記溶接トーチにプリセットされたステップ幅が２．５ｃｍ〜４．５ｃｍであることを特徴とする、請求項９に記載の変動振幅ウィービング溶接装置。
【請求項１２】
前記計算モジュールは、前記溶接シームをいくつかのサブ溶接シームに均等に分け、前記サブ溶接シームの長さを前記溶接トーチのステップ幅とし、前記開先の両側の開先面における各溶接点の座標を算出することを特徴とする、請求項１０に記載の変動振幅ウィービング溶接装置。
【請求項１３】
前記制御モジュールは、各溶接点の横座標値を抽出し、各溶接点の横座標値の大きさに基づいて、順番に前記各溶接点を「Ｚ」状に接続する方式で接続し、前記各溶接点の間の接続線を前記溶接トーチに対応するウィービング経路とし、前記接続線は直線であるか、または設定した弧度を有する円弧であることを特徴とする、請求項９に記載の変動振幅ウィービング溶接装置。
【請求項１４】
前記制御装置は、
前記開先の加工精度に基づいて、前記溶接トーチの移動経路に対して振幅補償値を設定し、前記溶接トーチが前記開先の両側の開先面における溶接点まで移動したとき、設定した振幅補償値に基づいて、前記溶接トーチが前記溶接点に対して溶接補償を行うように制御する振幅補償モジュールをさらに含むことを特徴とする、請求項９〜１３のいずれか１項に記載の変動振幅ウィービング溶接装置。
【請求項１５】
前記振幅補償値が０．５ｍｍ〜３ｍｍであることを特徴とする、請求項１４に記載の変動振幅ウィービング溶接装置。
【請求項１６】
前記測定センサが、距離測定センサ、ＣＣＤ画像センサ、過電流センサまたは電磁センサであることを特徴とする、請求項９〜１５のいずれか１項に記載の変動振幅ウィービング溶接装置。
【請求項１７】
請求項９〜１６のいずれか１項に記載の変動振幅ウィービング溶接装置を含むことを特徴とする、溶接ロボット。
【考案の詳細な説明】
【関連出願の相互参照】
【０００１】
本出願は２０１７年０８月３１日に中国特許庁に出願された、出願番号第２０１７１０７７０８９４．６号「変動振幅ウィービング溶接方法、装置および溶接ロボット」の優先権を主張し、その開示全体は引用により本出願に組み込まれる。
【技術分野】
【０００２】
本考案は、溶接技術分野に関し、特に変動振幅ウィービング溶接方法、装置および溶接ロボットに関する。
【背景技術】
【０００３】
溶接は、加熱、高温または高圧の方法により、金属またはその他の熱可塑性材料（例えばプラスチック）を接合する製造プロセスおよび技術であり、建築工事の施工および鉄骨構造部材の製造分野に幅広く応用される。
【０００４】
このうち、溶接効率および溶接の質は、建築工事の施工および鉄骨構造部材の製造における効率および質に直接影響を及ぼす。したがって、溶接の効率および溶接の質を高めるため、現在、溶接ロボットの自動化技術は次第に手溶接を代替し始めている。しかし、溶接ロボットの溶接過程は比較的複雑な機構、制御、冶金成形過程であり、柔軟性は人に及ばない。したがって部材の組立が非対称の状況で、溶接ロボットが楔形の開先または「ベルマウス」形の開先に出くわした場合、溶接不良の問題が容易に出現する。
【考案の概要】
【考案が解決しようとする課題】
【０００５】
本考案は、変動振幅ウィービング溶接方法、装置および溶接ロボットを提供し、既存技術において、部材の組立が非対称の状況で、溶接ロボットを採用して溶接すると、溶接不良が容易に出現する技術的課題を改善することを目的とする。
【課題を解決するための手段】
【０００６】
上記目的を実現するため、本考案の第１の方面は、変動振幅ウィービング溶接方法を提供する。前記変動振幅ウィービング溶接方法は、
予め設けた測定センサを使用して開先の開先情報を測定すること、
前記開先情報に基づいて３次元直角座標系を構築し、さらに溶接トーチにプリセットされたステップ幅に基づいて、前記開先の両側の開先面における各溶接点の座標を算出すること、および、
算出した各溶接点の座標に基づいて、前記溶接トーチに対応するウィービング経路を作成し、さらに前記溶接トーチが前記ウィービング経路に沿って溶接するように制御することを、含む。
【０００７】
任意に、前記開先情報は、前記開先に対応する溶接シームの溶接シーム長さおよび溶接シーム夾角を含む。予め設けた測定センサを使用して開先の開先情報を測定する前記工程は、
前記測定センサを使用して前記溶接シームの位置パラメータ情報を測定し、前記位置パラメータ情報に基づいて前記溶接シームの始端部および終端部を確定し、さらに前記始端部および終端部の間の相対距離を前記溶接シーム長さとすること、および、
前記位置パラメータ情報に基づいて、前記始端部および終端部の溶接シーム幅を確定し、さらに前記始端部および終端部の溶接シーム幅および前記溶接シーム長さに基づいて、前記溶接シーム夾角を算出することを、含む。
【０００８】
任意に、前記溶接トーチにプリセットされたステップ幅は、２．５ｃｍ〜４．５ｃｍである。
【０００９】
任意に、溶接トーチにプリセットされたステップ幅に基づいて、前記開先の両側の開先面における各溶接点の座標を算出する工程は、
前記溶接シームをいくつかのサブ溶接シームに均等に分け、前記サブ溶接シームの長さを前記溶接トーチのステップ幅とし、前記開先の両側の開先面における各溶接点の座標を算出することをさらに含む。
【００１０】
任意に、算出した各溶接点の座標に基づいて、前記溶接トーチに対応するウィービング経路を作成する工程は、
各溶接点の横座標値を抽出し、各溶接点の横座標値の大きさに基づいて、順番に前記各溶接点を「Ｚ」状に接続する方式で接続すること、および、
前記各溶接点の間の接続線を前記溶接トーチに対応するウィービング経路とし、前記接続線は直線であるか、または設定した弧度を有する円弧であることを、含む。
【００１１】
任意に、前記変動振幅ウィービング溶接方法は、
前記開先の加工精度に基づいて、前記溶接トーチの移動経路に対して振幅補償値を設定すること、および、
前記溶接トーチが前記開先の両側の開先面における溶接点まで移動したとき、設定した振幅補償値に基づいて、前記溶接トーチが前記溶接点に対して溶接補償を行うように制御することを、さらに含む。
【００１２】
任意に、前記振幅補償値は０．５ｍｍ〜３ｍｍである。
【００１３】
任意に、前記測定センサは、距離測定センサ、ＣＣＤ画像センサ、過電流センサまたは電磁センサである。
【００１４】
上記目的を実現するため、本考案の第２の方面は変動振幅ウィービング溶接装置を提供する。前記装置は測定センサ、溶接トーチおよび制御装置を含み、前記制御装置は、
前記測定センサを使用して開先の開先情報を測定する測定モジュール、
前記開先情報に基づいて３次元直角座標系を構築し、さらに溶接トーチにプリセットされたステップ幅に基づいて、前記開先の両側の開先面における各溶接点の座標を算出する計算モジュール、および、
算出した各溶接点の座標に基づいて、前記溶接トーチに対応するウィービング経路を作成し、さらに前記溶接トーチが前記ウィービング経路に沿って溶接するように制御する制御モジュールを、含む。
【００１５】
任意に、前記開先情報は、前記開先に対応する溶接シームの溶接シーム長さおよび溶接シーム夾角を含む。前記測定モジュールは、
前記測定センサを使用して前記溶接シームの位置パラメータ情報を測定し、前記位置パラメータ情報に基づいて前記溶接シームの始端部および終端部を確定し、さらに前記始端部および終端部の間の相対距離を前記溶接シーム長さとし、
前記位置パラメータ情報に基づいて、前記始端部および終端部の溶接シーム幅を確定し、さらに前記始端部および終端部の溶接シーム幅および前記溶接シーム長さに基づいて、前記溶接シーム夾角を算出する。
【００１６】
任意に、前記溶接トーチにプリセットされたステップ幅は２．５ｃｍ〜４．５ｃｍである。
【００１７】
任意に、前記計算モジュールは、さらに、前記溶接シームをいくつかのサブ溶接シームに均等に分け、前記サブ溶接シームの長さを前記溶接トーチのステップ幅とし、前記開先の両側の開先面における各溶接点の座標を算出する。
【００１８】
任意に、前記制御モジュールは、
各溶接点の横座標値を抽出し、各溶接点の横座標値の大きさに基づいて、順番に前記各溶接点を「Ｚ」状に接続する方式で接続し、前記各溶接点の間の接続線を前記溶接トーチに対応するウィービング経路とし、前記接続線は直線であるか、または設定した弧度を有する円弧である。
【００１９】
任意に、前記制御装置は、
前記開先の加工精度に基づいて、前記溶接トーチの移動経路に対して振幅補償値を設定し、前記溶接トーチが前記開先の両側の開先面における溶接点まで移動したとき、設定した振幅補償値に基づいて、前記溶接トーチが前記溶接点に対して溶接補償を行うように制御する振幅補償モジュールをさらに含む。
【００２０】
任意に、前記振幅補償値は０．５ｍｍ〜３ｍｍである。
【００２１】
任意に、前記測定センサは、距離測定センサ、ＣＣＤ画像センサ、過電流センサまたは電磁センサである。
【００２２】
上記目的を実現するため、本考案の第３の方面は溶接ロボットを提供する。前記溶接ロボットは変動振幅ウィービング溶接装置が設置され、前記変動振幅ウィービング溶接装置は、第２の方面で提供した変動振幅ウィービング溶接装置である。
【考案の効果】
【００２３】
本考案が提供する変動振幅ウィービング溶接方法は、開先の開先情報を自動的に測定することができ、その後測定した開先情報および溶接トーチのステップ幅に基づいて、開先の両側の開先面における各溶接点の座標を算出し、さらに溶接トーチが移動するウィービング経路を作成する。さらに溶接トーチが前記ウィービング経路に沿って往復し、ウィービングするように制御することにより、前記開先の溶接を完了する。従来の技術と比較して、前記溶接トーチは溶接シーム中で往復してウィービング溶接することができるため、例えば楔形の開先または「ベルマウス」形の開先を有する部材を効果的に溶接することができる。これにより従来の技術において、部材の組立が非対称の状況で、溶接ロボットを採用して溶接すると、溶接不良が容易に出現する技術的課題を改善した。
【００２４】
本考案の実施例または従来の技術の技術案をより明確に説明するため、以下に、実施例または従来の技術の記載に使用する必要がある図について簡単に説明する。以下に記載する図は本考案のいくつかの実施例に過ぎず、当業者にとって、創造的労働を行わない前提で、これらの図に基づいてその他の図を得ることもできることは明らかである。
【図面の簡単な説明】
【００２５】
【図１】図１は、本考案の１つの実施例における変動振幅ウィービング溶接方法のフローチャートである。
【図２】図２は、本考案の１つの実施例において、開先情報に基づいて構築した３次元直角座標系の概要図である。
【図３】図３は、本考案の１つの実施例において、開先の両側の開先面における各溶接点の座標の概要図である。
【図４】図４は、図１に示す工程Ｓ１０を細分化した工程のフローチャートである。
【図５】図５は、本考案の１つの実施例において、測定センサで開先情報を測定する場面の概要図である。
【図６】図６は、本考案の１つの実施例において、測定センサが溶接部材表面のＡ点からＣ点まで移動する際、測定センサから溶接部材表面までの距離の変化傾向を示す概要図である。
【図７】図７は、図１に示す工程Ｓ３０を細分化した工程のフローチャートである。
【図８（ａ）】図８（ａ）は、本考案の１つの実施例において、溶接トーチに対応する直線ウィービング経路の概要図である。
【図８（ｂ）】図８（ｂ）は、本考案の１つの実施例において、溶接トーチに対応する円弧状ウィービング経路の概要図である。
【図９】図９は、本考案の１つの実施例における変動振幅ウィービング溶接装置の機能モジュールの概要図である。
【図１０】図１０は、本考案のもう１つの実施例における変動振幅ウィービング溶接装置の機能モジュールの概要図である。
【符号の説明】
【００２６】
１００  変動振幅ウィービング溶接装置
１１０  測定モジュール
１２０  計算モジュール
１３０  制御モジュール
１４０  振幅補償モジュール
【考案を実施するための形態】
【００２７】
本考案の目的、特徴、利点をより明確にし、わかりやすくするため、以下、本考案の実施例の図を組み合わせて、本考案の実施例の技術内容を明確、完全に記載する。記載する実施例は本考案の一部の実施例に過ぎず、全ての実施例でないことは明らかである。本考案の実施例に基づいて、当業者が創造的労働を行わない前提で得られるその他のすべての実施例は、いずれも本考案の保護範囲に属する。
【００２８】
本考案の以下の実施例は、変動振幅ウィービング溶接方法を示す。前記方法は、予め設けた測定センサを使用して開先の開先情報を測定してから、測定した開先情報に基づいて、溶接トーチが移動するウィービング経路を作成する。さらに溶接トーチが前記ウィービング経路に沿ってウィービングするように制御することにより、前記開先の溶接を完了する。前記溶接トーチは溶接シーム中で往復してウィービング溶接することができるため、例えば楔形の開先または「ベルマウス」形の開先を有する部材を効果的に溶接することができる。
【００２９】
図１を参照されたい。図１は、本考案の１つの実施例における変動振幅ウィービング溶接方法のフローチャートである。本実施例において、変動振幅ウィービング溶接方法は、以下の工程を含む。
工程Ｓ１０、予め設けた測定センサを使用して開先の開先情報を測定する。
本実施例において、予め設けた測定センサを使用して、溶接部材表面をスキャンすることにより、溶接部材表面の開先の開先情報を確定する。このうち、開先とは、溶接部材の被溶接部位を加工、組み立ててなる一定の幾何形状の溶接シームを指し、例えばＶ型開先、Ｕ型開先、Ｋ型開先などである。
【００３０】
このうち、前記測定センサはレーザ距離測定センサ、または赤外線距離測定センサ、または光電子距離測定センサなどを採用することができる。測定するとき、測定センサを溶接部材表面で設定したスキャン経路により移動させ、測定センサおよび溶接部材表面の距離の変化値をリアルタイムで記録し、その後記録した変化値に基づいて、開先の開先情報を確定する。
【００３１】
他に、前記測定センサはＣＣＤ（Ｃｈａｒｇｅ−ｃｏｕｐｌｅｄ  Ｄｅｖｉｃｅ、電荷結合素子）画像センサ、または過電流センサ、または電磁センサなどを採用することもできる。異なるタイプの測定センサを採用するとき、測定方式は異なってもよい。例えばＣＣＤ画像センサを採用するとき、講じる測定方式は、溶接シーム部分を撮影して画像処理を行い、画像の識別により、開先の開先情報を確定する。
【００３２】
工程Ｓ２０、前記開先情報に基づいて３次元直角座標系を構築し、さらに溶接トーチにプリセットされたステップ幅に基づいて、前記開先の両側の開先面における各溶接点の座標を算出する。
本実施例において、開先の開先情報を確定すると、前記開先情報に基づいて３次元直角座標系を構築することができる。このうち、溶接シームの一端を原点、溶接シームの長さの延伸方向を横軸方向、溶接シームの幅の延伸方向を縦軸方向、溶接シームの深さの延伸方向を垂直軸方向とし、３次元直角座標系を構築することができる。
【００３３】
本考案をより良好に理解するため、図２を参照されたい。図２は、本考案の１つの実施例において、開先情報に基づいて構築した３次元直角座標系の概要図である。図２において、０点は原点、Ｘ軸は横軸、Ｙ軸は縦軸、Ｚ軸は垂直軸である。
【００３４】
当然、前記開先は一定の深さを有する立体型の溶接シームであり、さらに前記溶接シームの下底面および上表面の面積は異なるため、前記開先の両側の開先面における各溶接点の座標とは、溶接シームの上表面両側の縁部における溶接トーチが経過する各点の座標、または溶接シーム両側の斜辺における溶接トーチが経過する各点の座標を指す。
【００３５】
このうち、溶接トーチが開先の一側からもう一側にウィービングする過程において、溶接トーチの横軸方向の移動距離を溶接トーチのステップ幅とする。前記ステップ幅の値は実際の溶接の需要に基づいて設定し、一般的に２．５ｃｍ〜４．５ｃｍの間に設定される。
【００３６】
本考案をより良好に理解するため、図３を参照されたい。図３は、本考案の１つの実施例において、開先の両側の開先面における各溶接点の座標の概要図である。図３において、溶接トーチのステップ幅に基づいて、前記開先の一側の各溶接点「Ａ１、Ａ２……Ａ（ｎ−１）、Ａｎ」の座標、および前記開先のもう一側の各溶接点「Ｂ１、Ｂ２、……Ｂ（ｎ−１）、Ｂｎ」の座標を算出することができる。
【００３７】
さらに、工程Ｓ２０に記載の溶接トーチにプリセットされたステップ幅に基づいて、前記開先の両側の開先面における各溶接点の座標を算出する工程は、
前記溶接シームをいくつかのサブ溶接シームに均等に分け、前記サブ溶接シームの長さを前記溶接トーチのステップ幅とし、前記開先の両側の開先面における各溶接点の座標を算出することをさらに含むことができる。
【００３８】
本実施例において、前記溶接シームをいくつかのサブ溶接シームに均等に分け、前記サブ溶接シームの長さを前記溶接トーチのステップ幅とし、前記開先の両側の開先面における各溶接点の座標を算出することができる。
【００３９】
工程Ｓ３０、算出した各溶接点の座標に基づいて、前記溶接トーチに対応するウィービング経路を作成し、さらに前記溶接トーチが前記ウィービング経路に沿って溶接するように制御する。
【００４０】
本実施例において、前記開先の両側の開先面における各溶接点の座標を算出した後、溶接シームの延伸方向に基づいて、前記開先の両側の開先面における各溶接点を「Ｚ」状に接続する方式で接続することができ、これにより溶接トーチに対応するウィービング経路を作成する。
【００４１】
さらに、前記溶接トーチに対応するウィービング経路を作成した後、前記溶接トーチが前記ウィービング経路に沿って溶接するように制御する。
【００４２】
本実施例が提供する変動振幅ウィービング溶接方法は、開先の開先情報を自動的に測定することができ、その後測定した開先情報および溶接トーチのステップ幅に基づいて、開先の両側の開先面における各溶接点の座標を算出し、さらには溶接トーチが移動するウィービング経路を作成する。さらに溶接トーチが前記ウィービング経路に沿って往復し、ウィービングするように制御することにより、前記開先の溶接を完了する。従来の技術と比較して、前記溶接トーチは溶接シーム中で往復してウィービング溶接することができるため、例えば楔形の開先または「ベルマウス」形の開先を有する部材を効果的に溶接することができる。これにより従来の技術において、部材の組立が非対称の状況で、溶接ロボットを採用して溶接すると、溶接不良が容易に出現する技術的課題を解決した。
【００４３】
さらに、図１に示す実施例に基づくと、本考案の１つの実施例において、前記開先情報は、開先に対応する溶接シームの溶接シーム長さおよび溶接シーム夾角を任意に含む。図４を参照されたい。図４は、図１に示す工程Ｓ１０を細分化した工程のフローチャートである。本実施例において、前記工程Ｓ１０は以下の工程を含む。
工程Ｓ１１、前記測定センサを使用して前記溶接シームの位置パラメータ情報を測定し、前記位置パラメータ情報に基づいて前記溶接シームの始端部および終端部を確定し、さらに前記始端部および終端部の間の相対距離を前記溶接シーム長さとする。
工程Ｓ１２、前記位置パラメータ情報に基づいて、前記始端部および終端部の溶接シーム幅を確定し、さらに前記始端部および終端部の溶接シーム幅および前記溶接シーム長さに基づいて、前記溶接シーム夾角を算出する。
【００４４】
本考案をより良好に理解するため、図５を参照されたい。図５は、本考案の１つの実施例において、測定センサで開先情報を測定する場面の概要図である。図５において、測定センサが溶接部材の外表面（溶接シーム付近の表面であり、開先の内表面を含まない）に平行な方向に沿って、溶接部材表面のＡ点からＢ点まで移動し、その後さらにＣ点まで移動する過程において、測定センサは溶接部材の外表面に垂直な方向で溶接部材表面（開先の内表面を含む）までの距離をリアルタイムで記録する。図６を参照されたい。図６は、本考案の１つの実施例において、測定センサが溶接部材表面のＡ点からＣ点まで移動する際、測定センサから溶接部材表面までの距離の変化傾向を示す概要図である。溶接部材の表面で全面スキャンすると、溶接シームの位置パラメータ情報を確定することができ、例えば溶接シーム長さ、溶接シームの各位置の幅、深さなどの情報である。
【００４５】
具体的に、前記溶接シームの位置パラメータ情報を測定すると、前記位置パラメータ情報に基づいて、前記溶接シームの始端部および終端部を確定することができ、さらに前記始端部および終端部の間の相対距離を溶接シームの溶接シーム長さとする。任意に、始端部および終端部の間の相対距離は、始端部における溶接シームの幅方向の中点と、終端部における溶接シームの幅方向の中点との間の距離である。
【００４６】
他に、前記位置パラメータ情報に基づいて、前記始端部および終端部の溶接シーム幅を確定することもでき、その後前記溶接シーム長さを再び利用して、三角関数演算により、前記溶接シームの溶接シーム夾角を算出することができる。例えば、前記始端部および終端部の溶接シーム幅をそれぞれＬ1およびＬ2、前記溶接シーム長さをｄ、溶接シーム夾角をＱと仮定すると、以下の式（数１）の通りである。
【００４７】
【数１】
0003227938.tif 000003
【００４８】
当然、本実施例において、溶接シームにおける任意の２つの位置の溶接シーム幅、およびこの２つの位置の間の距離により、前記溶接シーム角度を算出することもできる。
【００４９】
本実施例が提供する変動振幅ウィービング溶接方法は、測定センサを使用して溶接シームの位置パラメータ情報を測定することにより、溶接シームの溶接シーム長さおよび溶接シーム角度を確定する。前記溶接シーム長さおよび溶接シーム角度、さらに溶接トーチのステップ幅に基づいて、溶接トーチが移動するウィービング経路を作成することができ、これにより前記溶接トーチが溶接シーム中で往復してウィービング溶接するように制御することができる。
【００５０】
図７を参照されたい。図７は、図１に示す工程Ｓ３０を細分化した工程のフローチャートである。さらに、本考案の図１に示す実施例に基づくと、任意に、工程Ｓ３０に記載の算出した各溶接点の座標に基づいて、前記溶接トーチに対応するウィービング経路を作成する工程は、以下を含む。
工程Ｓ３１、各溶接点の横座標値を抽出し、各溶接点の横座標値の大きさに基づいて、順番に前記各溶接点を「Ｚ」状に接続する方式で接続する。
工程Ｓ３２、前記各溶接点の間の接続線を前記溶接トーチに対応するウィービング経路とし、前記接続線は直線であるか、または設定した弧度を有する円弧である。
【００５１】
本考案をより良好に理解するため、図８（ａ）および図８（ｂ）を参照されたい。図８（ａ）は、本考案の１つの実施例において、溶接トーチに対応する直線ウィービング経路の概要図であり、図８（ｂ）は、本考案の１つの実施例において、溶接トーチに対応する円弧状ウィービング経路の概要図である。
【００５２】
このうち、前記ウィービング経路が円弧であるとき、すべての円弧の弧度を同じ値に設定することも、異なる値にすることもできる。各弧度の値が異なるとき、各弧度の値は、前記円弧両端の直線距離に基づいて確定することができる。例えば円弧の弧度および円弧両端の直線距離は反比例または正比例の関係になるように設定し、比率は、当業者が溶接の需要に基づいて設定することができる。
【００５３】
本実施例が提供する変動振幅ウィービング溶接方法は、各溶接点の横座標値の大きさに基づいて、順番に各溶接点を「Ｚ」状に接続する方式で接続する。前記各溶接点の間の接続線を溶接トーチに対応するウィービング経路とし、前記接続線は直線であるか、または設定した弧度を有する円弧である。これにより、例えば楔形の開先または「ベルマウス」形の開先を有する部材を効果的に溶接することができ、溶接の質を高める。
【００５４】
さらに、本考案の前記変動振幅ウィービング溶接方法の各実施例に基づくと、本考案のもう１つの実施例において、前記変動振幅ウィービング溶接方法は、さらに以下を含むことができる。
前記開先の加工精度に基づいて、前記溶接トーチの移動経路に対して振幅補償値を設定する。
前記溶接トーチが前記開先の両側の開先面における溶接点まで移動したとき、設定した振幅補償値に基づいて、前記溶接トーチが前記溶接点に対して溶接補償を行うように制御する。
【００５５】
本実施例において、溶接トーチをより良好に前記開先の両側の開先面における各溶接点と接触させ、溶接過程で溶接が堅固でない状況が出現するのを防止するため、開先の加工精度に基づいて、前記溶接トーチの移動経路に対して振幅補償値を設定することができる。前記溶接トーチが開先の両側の開先面における溶接点まで移動したとき、設定した振幅補償値に基づいて、前記溶接トーチが各溶接点に対して溶接補償を行うように制御する。
【００５６】
任意に、振幅補償値は０．５ｍｍ〜３ｍｍであり、前記振幅補償値は当業者が実際の溶接の需要に基づいて設定することも、溶接の精度に基づいて自動的に作成することもできる。前記振幅補償値が１ｍｍであると仮定すると、前記溶接トーチが開先の両側の開先面における溶接点まで移動したとき、前記溶接トーチは引き続き開先の幅方向に沿って１ｍｍ移動してから戻る。
【００５７】
当然、前記溶接の精度の要求が高いほど、前記振幅補償値は小さく、溶接精度の要求が低いほど、前記振幅補償値は大きい。
【００５８】
本実施例が提供する変動振幅ウィービング溶接方法は、開先の加工精度に基づいて、溶接トーチの移動経路に対して振幅補償値を設定する。前記溶接トーチが開先の両側の開先面における溶接点まで移動したとき、設定した振幅補償値に基づいて、前記溶接トーチが前記溶接点に対して溶接補償を行うように制御し、これにより溶接過程で溶接が堅固でない状況が出現するのを効果的に防止することができ、溶接の質を確保する。
【００５９】
本考案の以下の実施例は、変動振幅ウィービング溶接装置を提供する。図９を参照されたい。図９は、本考案の１つの実施例における変動振幅ウィービング溶接装置の機能モジュールの概要図である。本実施例において、変動振幅ウィービング溶接装置１００は、測定モジュール１１０を含み、測定モジュール１１０は前記測定センサを使用して開先の開先情報を測定する。
本実施例において、測定モジュール１１０は予め設けた測定センサを使用して、溶接部材表面をスキャンすることにより、溶接部材表面の開先の開先情報を確定する。このうち、開先とは、溶接部材の被溶接部位を加工、組み立ててなる一定の幾何形状の溶接シームを指し、例えばＶ型開先、Ｕ型開先、Ｋ型開先などである。
【００６０】
このうち、前記測定センサはレーザ距離測定センサ、または赤外線距離測定センサ、または光電子距離測定センサなどを採用することができる。測定するとき、測定センサを溶接部材表面で設定したスキャン経路により移動させ、測定センサおよび溶接部材表面の距離の変化値をリアルタイムで測定し、その後記録した変化値に基づいて、開先の開先情報を確定する。
【００６１】
他に、測定センサはＣＣＤ画像センサ、または過電流センサ、または電磁センサなどを採用することもできる。異なるタイプの測定センサを採用するとき、測定方式は異なってもよい。例えばＣＣＤ画像センサを採用するとき、溶接シーム部分を撮影して画像処理を行い、画像の識別により、開先の開先情報を確定することができる。
【００６２】
変動振幅ウィービング溶接装置１００は、計算モジュール１２０をさらに含み、計算モジュール１２０は前記開先情報に基づいて３次元直角座標系を構築し、さらに溶接トーチにプリセットされたステップ幅に基づいて、前記開先の両側の開先面における各溶接点の座標を算出する。
本実施例において、測定モジュール１１０が開先の開先情報を確定すると、計算モジュール１２０は前記開先情報に基づいて３次元直角座標系を構築することができる。このうち、溶接シームの一端を原点、溶接シームの長さの延伸方向を横軸方向、溶接シームの幅の延伸方向を縦軸方向、溶接シームの深さの延伸方向を垂直軸方向とし、３次元直角座標系を構築する。
【００６３】
本考案をより良好に理解するため、図２を参照されたい。図２は、本考案の１つの実施例において、開先情報に基づいて構築した３次元直角座標系の概要図である。図２において、０点は原点、Ｘ軸は横軸、Ｙ軸は縦軸、Ｚ軸は垂直軸である。
【００６４】
当然、前記開先は一定の深さを有する立体型の溶接シームであり、さらに前記溶接シームの下底面および上表面の面積は異なるため、前記開先の両側の開先面における各溶接点の座標とは、溶接シームの上表面両側の縁部における溶接トーチが経過する各点の座標、または溶接シーム両側の斜辺における溶接トーチが経過する各点の座標を指す。
【００６５】
このうち、溶接トーチが開先の一側からもう一側にウィービングする過程において、溶接トーチの横軸方向の移動距離を溶接トーチのステップ幅とする。前記ステップ幅の値は実際の溶接の需要に基づいて設定し、一般的に２．５ｃｍ〜４．５ｃｍの間に設定される。
【００６６】
本考案をより良好に理解するため、図３を参照されたい。図３は、本考案の１つの実施例において、開先の両側の開先面における各溶接点の座標の概要図である。図３において、溶接トーチのステップ幅に基づいて、前記開先の一側の各溶接点「Ａ１、Ａ２……Ａ（ｎ−１）、Ａｎ」の座標、および前記開先のもう一側の各溶接点「Ｂ１、Ｂ２……Ｂ（ｎ−１）、Ｂｎ」の座標を算出することができる。
【００６７】
さらに、前記計算モジュール１２０は、前記溶接シームをいくつかのサブ溶接シームに均等に分け、前記サブ溶接シームの長さを前記溶接トーチのステップ幅とし、前記開先の両側の開先面における各溶接点の座標を算出する。
【００６８】
本実施例において、計算モジュール１２０は前記溶接シームをいくつかのサブ溶接シームに均等に分けることができ、前記サブ溶接シームの長さを前記溶接トーチのステップ幅とし、前記開先の両側の開先面における各溶接点の座標を算出する。
【００６９】
変動振幅ウィービング溶接装置１００は、制御モジュール１３０をさらに含み、制御モジュール１３０は算出した各溶接点の座標に基づいて、前記溶接トーチに対応するウィービング経路を作成し、さらに前記溶接トーチが前記ウィービング経路に沿って溶接するように制御する。
【００７０】
本実施例において、計算モジュール１２０が前記開先の両側の開先面における各溶接点の座標を算出した後、制御モジュール１３０は溶接シームの延伸方向に基づいて、前記開先の両側の開先面における各溶接点を「Ｚ」状に接続する方式で接続することができ、これにより溶接トーチに対応するウィービング経路を作成する。
【００７１】
さらに、前記溶接トーチに対応するウィービング経路を作成した後、制御モジュール１３０は前記溶接トーチが前記ウィービング経路に沿って溶接するように制御する。
【００７２】
本実施例が提供する変動振幅ウィービング溶接装置１００は、測定モジュール１１０が開先の開先情報を測定することにより、計算モジュール１２０が前記開先の両側の開先面における各溶接点の座標を計算する。その後制御モジュール１３０が、測定した開先情報に基づいて、溶接トーチが移動するウィービング経路を作成する。さらに溶接トーチが前記ウィービング経路に沿って往復し、ウィービングするように制御することにより、前記開先の溶接を完了する。従来の技術と比較して、前記溶接トーチは溶接シーム中で往復してウィービング溶接することができるため、例えば楔形の開先または「ベルマウス」形の開先を有する部材を効果的に溶接することができる。これにより従来の技術において、部材の組立が非対称の状況で、溶接ロボットを採用して溶接すると、溶接不良が容易に出現する技術的課題を解決した。
【００７３】
さらに、図９の実施例に示す変動振幅ウィービング溶接装置に基づくと、任意に、前記開先情報は開先に対応する溶接シームの溶接シーム長さおよび溶接シーム夾角を含む。前記測定モジュール１１０は、
前記測定センサを使用して前記溶接シームの位置パラメータ情報を測定し、前記位置パラメータ情報に基づいて前記溶接シームの始端部および終端部を確定し、さらに前記始端部および終端部の間の相対距離を前記溶接シーム長さとし、
前記位置パラメータ情報に基づいて、前記始端部および終端部の溶接シーム幅を確定し、さらに前記始端部および終端部の溶接シーム幅および前記溶接シーム長さに基づいて、前記溶接シーム夾角を算出する。
【００７４】
本考案をより良好に理解するため、図５を参照されたい。図５は、本考案の１つの実施例において、測定センサで開先情報を測定する場面の概要図である。図５において、測定センサが溶接部材の外表面（溶接シーム付近の表面であり、開先の内表面を含まない）に平行な方向に沿って、溶接部材表面のＡ点からＢ点まで移動し、その後さらにＣ点まで移動する過程において、測定センサは溶接部材の外表面に垂直な方向で溶接部材表面（開先の内表面を含む）までの距離をリアルタイムで記録する。図６を参照されたい。図６は、本考案の１つの実施例において、測定センサが溶接部材表面のＡ点からＣ点まで移動する際、測定センサから溶接部材表面までの距離の変化傾向を示す概要図である。溶接部材の表面で全面スキャンすると、溶接シームの位置パラメータ情報を確定することができ、例えば溶接シーム長さ、溶接シームの各位置の幅、深さなどの情報である。
【００７５】
具体的に、測定モジュール１１０は、前記溶接シームの位置パラメータ情報を測定すると、前記位置パラメータ情報に基づいて、前記溶接シームの始端部および終端部を確定することができ、さらに前記始端部および終端部の間の相対距離を溶接シームの溶接シーム長さとする。任意に、始端部および終端部の間の相対距離は、始端部における溶接シームの幅方向の中点と、終端部における溶接シームの幅方向の中点との間の距離である。
【００７６】
他に、前記位置パラメータ情報に基づいて、前記始端部および終端部の溶接シーム幅を確定することもでき、その後前記溶接シーム長さを再び利用して、三角関数演算により、前記溶接シームの溶接シーム夾角を算出することができる。例えば、前記始端部および終端部の溶接シーム幅をそれぞれＬ1およびＬ2、前記溶接シーム長さをそれぞれｄ、溶接シーム夾角をＱと仮定すると、以下の式（数２）の通りである。
【００７７】
【数２】
0003227938.tif 000004
【００７８】
当然、本実施例において、測定モジュール１１０は溶接シームにおける任意の２つの位置の溶接シーム幅、およびこの２つの位置の間の距離により、前記溶接シーム角度を算出することもできる。
【００７９】
本実施例が提供する変動振幅ウィービング溶接装置１００は、測定モジュール１１０が測定センサを使用して溶接シームの位置パラメータ情報を測定することにより、溶接シームの溶接シーム長さおよび溶接シーム角度を確定する。前記溶接シーム長さおよび溶接シーム角度、さらに溶接トーチのステップ幅に基づいて、溶接トーチが移動するウィービング経路を作成することができ、これにより前記溶接トーチが溶接シーム中で往復してウィービング溶接するように制御することができる。
【００８０】
さらに、図９の実施例に示す変動振幅ウィービング溶接装置に基づくと、任意に、前記制御モジュール１３０は、各溶接点の横座標値を抽出し、各溶接点の横座標値の大きさに基づいて、順番に前記各溶接点を「Ｚ」状に接続する方式で接続し、前記各溶接点の間の接続線を前記溶接トーチに対応するウィービング経路とし、前記接続線は直線であるか、または設定した弧度を有する円弧である。
【００８１】
本考案をより良好に理解するため、図８（ａ）および図８（ｂ）を参照されたい。図８（ａ）は、本考案の１つの実施例において、溶接トーチに対応する直線ウィービング経路の概要図であり、図８（ｂ）は、本考案の１つの実施例において、溶接トーチに対応する円弧状ウィービング経路の概要図である。
【００８２】
このうち、前記ウィービング経路が円弧であるとき、すべての円弧の弧度を同じ値に設定することも、異なる値にすることもできる。各弧度の値が異なるとき、各弧度の値は前記円弧両端の直線距離に基づいて確定することができる。例えば円弧の弧度および円弧両端の直線距離が反比例または正比例関係になるように設定し、比率は、当業者が溶接の需要に基づいて設定することができる。
【００８３】
本実施例が提供する変動振幅ウィービング溶接装置１００は、制御モジュール１３０が各溶接点の横座標値の大きさに基づいて、順番に各溶接点を「Ｚ」状に接続する方式で接続する。前記各溶接点の間の接続線を溶接トーチに対応するウィービング経路とし、前記接続線は直線であるか、または設定した弧度を有する円弧である。これにより、例えば楔形の開先または「ベルマウス」形の開先を有する部材を効果的に溶接することができる。
【００８４】
さらに、上記各実施例の変動振幅ウィービング溶接装置について、図１０を参照されたい。図１０は、本考案のもう１つの実施例における変動振幅ウィービング溶接装置の機能モジュールの概要図である。本実施例において、前記変動振幅ウィービング溶接装置１００は、前記開先の加工精度に基づいて、前記溶接トーチの移動経路に対して振幅補償値を設定し、前記溶接トーチが前記開先の両側の開先面における溶接点まで移動したとき、設定した振幅補償値に基づいて、前記溶接トーチが前記溶接点に対して溶接補償を行うように制御する振幅補償モジュール１４０をさらに含む。
【００８５】
本実施例において、溶接トーチをより良好に前記開先の両側の開先面における各溶接点と接触させ、溶接過程で溶接が堅固でない状況が出現するのを防止するため、振幅補償モジュール１４０は開先の加工精度に基づいて、前記溶接トーチの移動経路に対して振幅補償値を設定することができる。前記溶接トーチが開先の両側の開先面における溶接点まで移動したとき、設定した振幅補償値に基づいて、前記溶接トーチが各溶接点に対して溶接補償を行うように制御する。
【００８６】
任意に、振幅補償値は０．５ｍｍ〜３ｍｍであり、前記振幅補償値は当業者が実際の溶接の需要に基づいて設定することも、溶接の精度に基づいて自動的に作成することもできる。前記振幅補償値が１ｍｍであると仮定すると、前記溶接トーチが開先の両側の開先面における溶接点まで移動したとき、前記溶接トーチは引き続き開先の幅方向に沿って１ｍｍ移動してから戻る。
【００８７】
当然、前記溶接の精度の要求が高いほど、前記振幅補償値は小さく、溶接精度の要求が低いほど、前記振幅補償値は大きい。
【００８８】
本実施例が提供する変動振幅ウィービング溶接装置１００は、振幅補償モジュール１４０が開先の加工精度に基づいて、溶接トーチの移動経路に対して振幅補償値を設定することができる。前記溶接トーチが開先の両側の開先面における溶接点まで移動したとき、設定した振幅補償値に基づいて、前記溶接トーチが前記溶接点に対して溶接補償を行うように制御し、これにより溶接過程で溶接が堅固でない状況が出現するのを効果的に防止することができ、溶接の質を確保する。
【００８９】
さらに、本考案は溶接ロボットも提供する。前記溶接ロボットは変動振幅ウィービング溶接装置を含み、前記変動振幅ウィービング溶接装置は上記各実施例のうちの１つの変動振幅ウィービング溶接装置１００であるため、ここでは省略する。
【００９０】
本考案が提供するいくつかの実施例において、開示した装置および方法はその他の方式で実現可能であることを理解すべきであり、例えば、以上に記載する装置の実施例は例示的なものに過ぎない。例えば、前記モジュールの区分は論理的機能の区分に過ぎず、実際に実現するとき、他の区分方式でもよい。例えば、複数のモジュールもしくは構成部品を組み合わせるか、または他のシステムに集積させることができ、あるいはいくつかの特徴を省略するか、または実行しなくてもよい。もう一点、示した、または討論した相互間の連結または直接結合または通信接続は、いくつかのポートを介した装置またはモジュールの間接結合または通信接続でもよく、電気的、機械的またはその他の形式でもよい。
【００９１】
前記分離部材として説明したモジュールは、物理的に分離可能、または分離不可能であり、モジュールとして示した部材は、物理モジュールでも、そうでなくてもよく、１つの場所に位置しても、複数のネットワークモジュールに分布してもよい。実際の需要に基づき、このうちの一部またはすべてのモジュールを選択し、本実施例の目的を実現することができる。
【００９２】
他に、本考案の各実施例における各機能モジュールは、１つの処理モジュールに集積することも、各モジュールが単独で物理的に存在することも、２つまたは２つ以上のモジュールを１つのモジュールに集積することもできる。前記集積したモジュールは、ハードウェアの形式でも、ソフトウェア機能モジュールの形式でも実現することができる。
【００９３】
前記集積したモジュールをソフトウェア機能モジュールの形式で実現し、独立した製品として販売または使用するとき、記憶媒体にアクセス可能な１つのコンピュータに記憶させることができる。このような理解に基づくと、本考案の技術は本質的に、従来の技術に寄与する部分か、または技術のすべてもしくは一部を、ソフトウェア製品の形式で体現することができる。コンピュータソフトウェア製品は、１つの記憶媒体に記憶され、いくつかのコマンドを含み、このコマンドは１台のコンピュータ装置（パーソナルコンピュータ、サーバ、またはネットワーク装置などでよい）が本考案の各実施例に記載する方法のすべてまたは一部の工程を実行するのに用いられる。前記記憶媒体は、ＵＳＢメモリ、ポータブルハードディスク、ＲＯＭ（Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスクまたは光ディスクなどの各種プログラムコードを記憶することができる媒体を含む。
【００９４】
注意すべきなのは、記載を便利にするため、前記各方法の実施例について、一連の動作の組合せと表現するが、当業者は本考案が記載する動作の順序に制限されないことを承知するべきである。なぜなら、本考案に基づくと、いくつかの工程に対して、その他の順序を採用するか、または同時に行うことができるためである。次に、当業者は、明細書中に記載する実施例がいずれも好ましい実施例に属し、係る動作およびモジュールは必ずしも本考案に必須でないことも承知するべきである。
【００９５】
上記実施例において、各実施例に対する記載は、いずれもそれぞれ重点を有し、ある実施例では詳述していなくても、その他の実施例の関連する記載を参照することができる。
【００９６】
以上は、本考案が提供する変動振幅ウィービング溶接方法、装置および溶接ロボットに対する記載であり、当業者は、本考案の実施例の発想に基づいて、具体的な実施方式および応用範囲を変更することができる。要約すると、本明細書の内容は本考案を制限すると理解すべきではない。
【産業上の利用可能性】
【００９７】
本考案が提供する変動振幅ウィービング溶接方法、変動振幅ウィービング溶接装置および溶接ロボットは、例えば楔形の開先または「ベルマウス」形の開先を有する部材を効果的に溶接することができる。これにより既存技術において、部材の組立が非対称の状況で、溶接ロボットを採用して溶接すると、溶接不良が容易に出現する技術的課題を解決した。
【図１】
0003227938.tif 000005
【図２】
0003227938.tif 000006
【図３】
0003227938.tif 000007
【図４】
0003227938.tif 000008
【図５】
0003227938.tif 000009
【図６】
0003227938.tif 000010
【図７】
0003227938.tif 000011
【図８（ａ）】
0003227938.tif 000012
【図８（ｂ）】
0003227938.tif 000013
【図９】
0003227938.tif 000014
【図１０】
0003227938.tif 000015
【手続補正書】
【提出日】令和2年1月29日(2020.1.29)
【手続補正２】
【補正対象書類名】実用新案登録請求の範囲
【補正対象項目名】全文
【補正方法】変更
【補正の内容】
【実用新案登録請求の範囲】
【請求項１】
測定センサ、溶接トーチおよび制御装置を含む変動振幅ウィービング溶接装置であって、
前記制御装置は、
前記測定センサを使用して開先の開先情報を測定する測定モジュール、
前記開先情報に基づいて３次元直角座標系を構築し、さらに溶接トーチにプリセットされたステップ幅に基づいて、前記開先の両側の開先面における各溶接点の座標を算出する計算モジュール、および、
算出した各溶接点の座標に基づいて、前記溶接トーチに対応するウィービング経路を作成し、さらに前記溶接トーチが前記ウィービング経路に沿って溶接するように制御する制御モジュールを、含むことを特徴とする、変動振幅ウィービング溶接装置。
【請求項２】
前記開先情報が、前記開先に対応する溶接シームの溶接シーム長さおよび溶接シーム夾角を含み、
前記測定モジュールは、前記測定センサを使用して前記溶接シームの位置パラメータ情報を測定し、前記位置パラメータ情報に基づいて前記溶接シームの始端部および終端部を確定し、さらに前記始端部および終端部の間の相対距離を前記溶接シーム長さとし、      前記位置パラメータ情報に基づいて、前記始端部および終端部の溶接シーム幅を確定し、さらに前記始端部および終端部の溶接シーム幅および前記溶接シーム長さに基づいて、前記溶接シーム夾角を算出することを特徴とする、請求項１に記載の変動振幅ウィービング溶接装置。
【請求項３】
前記溶接トーチにプリセットされたステップ幅が２．５ｃｍ〜４．５ｃｍであることを特徴とする、請求項１に記載の変動振幅ウィービング溶接装置。
【請求項４】
前記計算モジュールは、前記溶接シームをいくつかのサブ溶接シームに均等に分け、前記サブ溶接シームの長さを前記溶接トーチのステップ幅とし、前記開先の両側の開先面における各溶接点の座標を算出することを特徴とする、請求項２に記載の変動振幅ウィービング溶接装置。
【請求項５】
前記制御モジュールは、各溶接点の横座標値を抽出し、各溶接点の横座標値の大きさに基づいて、順番に前記各溶接点を「Ｚ」状に接続する方式で接続し、前記各溶接点の間の接続線を前記溶接トーチに対応するウィービング経路とし、前記接続線は直線であるか、または設定した弧度を有する円弧であることを特徴とする、請求項１に記載の変動振幅ウィービング溶接装置。
【請求項６】
前記制御装置は、
前記開先の加工精度に基づいて、前記溶接トーチの移動経路に対して振幅補償値を設定し、前記溶接トーチが前記開先の両側の開先面における溶接点まで移動したとき、設定した振幅補償値に基づいて、前記溶接トーチが前記溶接点に対して溶接補償を行うように制御する振幅補償モジュールをさらに含むことを特徴とする、請求項１〜５のいずれか１項に記載の変動振幅ウィービング溶接装置。
【請求項７】
前記振幅補償値が０．５ｍｍ〜３ｍｍであることを特徴とする、請求項６に記載の変動振幅ウィービング溶接装置。
【請求項８】
前記測定センサが、距離測定センサ、ＣＣＤ画像センサ、過電流センサまたは電磁センサであることを特徴とする、請求項１〜７のいずれか１項に記載の変動振幅ウィービング溶接装置。
【請求項９】
請求項１〜８のいずれか１項に記載の変動振幅ウィービング溶接装置を含むことを特徴とする、溶接ロボット。